(57)【要約】【課題】状況の変化に応じて、再生するコンテンツを適したものに切り替える。【解決手段】再生システム１００は、コンテンツを再生するスクリーン部３１及び音声出力部４６と、撮影された画像から所定情報を取得する制御部５１と、取得された所定情報に変化があった場合、変化した差分に基づいて、スクリーン部３１及び音声出力部４６で再生されるコンテンツの少なくとも一部を変更する制御部４１と、を含む。【選択図】図１
2016177852.tif 000002
【特許請求の範囲】
【請求項１】
コンテンツを再生する再生部と、
撮影された画像から所定情報を取得する取得部と、
前記取得部で取得された前記所定情報に変化があった場合、変化した差分に基づいて、前記再生部で再生されるコンテンツの少なくとも一部を変更するコンテンツ変更部と、
を含むことを特徴とする再生システム。
【請求項２】
前記取得部は、前記所定情報として、撮影された画像における文字情報を取得することを特徴とする請求項１に記載の再生システム。
【請求項３】
文字情報と、コンテンツとを対応づけて記憶する記憶部を備え、
前記コンテンツ変更部は、前記再生部で再生されるコンテンツを、前記差分となる文字情報に対応するコンテンツに変更することを特徴とする請求項２に記載の再生システム。
【請求項４】
文字情報と、当該文字情報の優先順位とを対応づけて記憶する第２記憶部を備え、
前記再生部は、複数のコンテンツを順番に再生し、
前記コンテンツ変更部は、前記差分となる文字情報の優先順位に応じて、前記差分となる文字情報に対応するコンテンツが再生される順番を決定することを特徴とする請求項３に記載の再生システム。
【請求項５】
前記取得部は、前記所定情報として、撮影された画像における所定領域の形状情報を取得することを特徴とする請求項１に記載の再生システム。
【請求項６】
所定の撮影対象の画像を撮影する撮影部を備え、
前記取得部は、前記撮影部により撮影された画像から前記所定情報を取得することを特徴とする請求項１〜５の何れか一項に記載の再生システム。
【請求項７】
コンピュータを、
コンテンツを再生する再生部、
撮影された画像から所定情報を取得する取得部、
前記取得部で取得された前記所定情報に変化があった場合、変化した差分に基づいて、前記再生部で再生されるコンテンツの少なくとも一部を変更するコンテンツ変更部、
として機能させるためのプログラム。
【請求項８】
コンテンツを再生する再生部と、
撮影された画像から所定情報を取得する取得部と、
前記取得部で取得された前記所定情報に変化があった場合、変化した差分に基づいて、前記再生部で再生されるコンテンツの少なくとも一部を変更するコンテンツ変更部と、
を含むことを特徴とする再生装置。
【発明の詳細な説明】
【技術分野】
【０００１】
本発明は、再生システム、プログラム、及び再生装置に関する。
【背景技術】
【０００２】
近年、例えば店舗や展示会場などにおいて、商品の説明、案内等に関する予め設定されたコンテンツを再生する再生システムが開発されている。
このような再生システムにおいては、より印象付けた告知を行うべく、物体識別を利用して、ターゲットを絞ったコンテンツを再生する技術（例えば、特許文献１参照）や、文字認識したテキストデータ中のキーワードを検出し、それに対応する映像データを読み出す技術（例えば、特許文献２参照）などが提案されている。
【先行技術文献】
【特許文献】
【０００３】
【特許文献１】特開２０１１−８３３１号公報
【特許文献２】特開２００７−８６９０８号公報
【発明の概要】
【発明が解決しようとする課題】
【０００４】
こうした再生システムでは、商品の完売等で販売の状況が変わった場合、コンテンツを適した内容のものに差し替える必要がある。しかしながら、上記特許文献１、２の技術では、タイミング良く再生するコンテンツを切り替えるのが難しいという問題があった。
【０００５】
本発明の課題は、状況の変化に応じて、再生するコンテンツを適したものに切り替えることのできる再生システム、プログラム、及び再生装置を提供することである。
【課題を解決するための手段】
【０００６】
上記課題を解決するため、本発明の一の態様によれば、再生システムは、コンテンツを再生する再生部と、撮影された画像から所定情報を取得する取得部と、前記取得部で取得された前記所定情報に変化があった場合、変化した差分に基づいて、前記再生部で再生されるコンテンツの少なくとも一部を変更するコンテンツ変更部と、含むことを特徴とする。
【０００７】
また、本発明の他の態様によれば、コンピューターを、コンテンツを再生する再生部、撮影された画像から所定情報を取得する取得部、前記取得部で取得された前記所定情報に変化があった場合、変化した差分に基づいて、前記再生部で再生されるコンテンツの少なくとも一部を変更するコンテンツ変更部、として機能させるためのプログラムである。
【０００８】
また、本発明の他の態様によれば、再生装置は、コンテンツを再生する再生部と、撮影された画像から所定情報を取得する取得部と、前記取得部で取得された前記所定情報に変化があった場合、変化した差分に基づいて、前記再生部で再生されるコンテンツの少なくとも一部を変更するコンテンツ変更部と、含むことを特徴とする。
【発明の効果】
【０００９】
本発明によれば、状況の変化に応じて、再生するコンテンツを適したものに切り替えることができる。
【図面の簡単な説明】
【００１０】
【図１】本実施形態に係る表示システムの主制御構成を示すブロック図である。
【図２】本実施形態に係る表示装置を略正面から見た斜視図である。
【図３】本実施形態に係る表示装置の内部構成を示す図である。
【図４】コンテンツ制御テーブルの一例である。
【図５】撮影対象の一例である。
【図６】撮影対象の一例である。
【図７】状況変化認識処理を示すフローチャートである。
【図８】表示内容変更処理を示すフローチャートである。
【図９】コンテンツが変更された状態を示すための図である。
【図１０】コンテンツ制御テーブルの変形例の一例である。
【発明を実施するための形態】
【００１１】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１２】
［再生システム］
図１は、本発明に係る実施形態の再生システム１００の主制御構成を示すブロック図である。
図１に示すように、再生システム１００は、表示装置１０と、撮影装置５０とを備え、表示装置１０と撮影装置５０は、無線又は有線のネットワークＮを介してデータを送受信可能に構成されている。
表示装置１０は、例えば店舗や展示会場などに設置され、所定商品の商品情報（商品に関係する静止画像あるいは動画像など）のコンテンツを再生して表示し、購買者に当該所定商品を広告するサイネージ装置等の再生装置である。表示装置１０は予め設定されたコンテンツを再生するが、撮影装置５０から文字情報（所定情報）が送信されてきた場合、これに応じて再生コンテンツを切り替えることが可能となっている。
また、撮影装置５０は、例えば、店舗や展示会会場におけるポスターや展示品などの、任意の撮影対象を撮影可能となるよう設置されるカメラ、スマートフォン等の装置であって、常時或いは定期的にその撮影対象を撮影し、変化があった場合には表示装置１０に対して文字情報を送信する。
【００１３】
［表示装置］
次に、表示装置１０の構成について詳細に説明する。
図２は、表示装置１０を略正面から見た斜視図である。図３は、表示装置１０の内部構成を示す図である。
【００１４】
表示装置１０は、全体略矩形箱状の筐体２０を有する。
表示装置１０は、店舗や展示会場の商用電源を主電源とするもので、その商用電源からの電力の供給を受けるためのコンセントを備えた電源コード、及び主電源からの電力の供給が断たれたときのための補助電源（バッテリなど）（何れも図示せず）を備えている。
【００１５】
筐体２０の一方の端部（前端部）には、スクリーン取付部３２を介してスクリーン部３１が交換可能に取り付けられており、コンテンツに応じて適切な形状のスクリーン部３１に交換することが可能になっている。
なお、以下の説明においては、筐体２０を机等に載置した際の上方（上側）を「上方（上側）」とし、その反対側を「下方（下側）とし、スクリーン部３１の表示側を「前方（前側）」とし、スクリーン部３１の表示側と反対側を「後方（背面側）」として説明する。
図２に示すように、筐体２０におけるスクリーン取付部３２の下方には、ボタン式の操作部４５と、音声を出力するスピーカなどの音声出力部４６と、人感センサ４７と、が設けられている。
【００１６】
筐体２０は、前後左右を囲う側板２１を有し、上方に開口部を有している。
図３に示すように、開口部には、パネル２３が取り付けられており、パネル２３の中央は光を透過する透明部２３１とされている。
なお、本実施形態では、パネル２３の透明部２３１以外の部分が、黒色印刷等により、筐体２０の内部が見えないようにされているが、これに限定されるものではなく、パネル２３全部を透明にしてもよい。
【００１７】
また、筐体２０の内部における略中央には、投影光を生成して筐体２０の後方に向けて照射する投影部２２が、スクリーン部３１の背面側の下方に位置するように設けられている。
筐体２０の後方には、凹面の反射面を有する第１のミラー２４が設けられており、第１のミラー２４が、投影部２２からの投影光を、平面の反射面を有する第２のミラー２５へ向けて反射し、さらに、投影光は、第２のミラー２５でスクリーン部３１へ向けて反射される。
【００１８】
従って、投影部２２から発せられた投影光（画像）ＬＢ１は、第１のミラー２４で下方に向けて反射された後、第２のミラー２５で上方に向けて反射され、パネル２３の透明部２３１を通って筐体２０の外部に設けられているスクリーン部３１に投影される（投影光ＬＢ２）。これにより、スクリーン部３１は、投影部２２から照射された投影光を背面で受けて前面で表示することになる。
【００１９】
また、図３に示すように、スクリーン部３１は、スクリーン取付部３２により水平状態から垂直状態まで回動可能に支持されており、使用時にはスクリーン部３１を立てた状態にでき、使用しない時は、筐体２０側にスクリーン部３１を倒した状態にできる。
このため、表示装置１０を移動する時などに、スクリーン部３１が持ち運びの邪魔にならないように、筐体２０側にスクリーン部３１を倒して収納することができる。
【００２０】
図１に戻って、図１に示すブロック図を参照しながら、本発明に係る実施形態の表示装置１０の主な構成について、さらに説明する。
【００２１】
投影部２２は、制御部４１と、プロジェクタ４２と、記憶部４３と、通信部４４と、を主に備えており、プロジェクタ４２、記憶部４３、通信部４４は、各々制御部４１に接続されている。また、制御部４１には、操作部４５、音声出力部４６、人感センサ４７が接続されている。
【００２２】
制御部４１は、記憶部４３に記億されている各種のプログラムを実行して所定の演算や各部の制御を行うＣＰＵ（Central Processing Unit）とプログラム実行時の作業領域となるメモリとを備えている（いずれも図示略）。
そして、制御部４１は、記憶部４３のプログラム記憶部４３１に記憶されているプログラムとの協働により、各部を制御する。
具体的に、例えば、制御部４１は、予め設定されたコンテンツを再生し、スクリーン部３１で表示すると共に、音声出力部４６で音声を出力する。そして、撮影装置５０において撮影対象に変化があったと判断され、文字情報が撮影装置５０から送信されてきた場合、制御部４１は、後述の表示内容変更処理を実行し、再生するコンテンツを変更する。
【００２３】
プロジェクタ４２は、制御部４１から出力された各種データ（動画像データ、静止画像データなど）を投影光に変換してスクリーン部３１に向けて照射する投影装置である。
例えば、プロジェクタ４２としては、アレイ状に配列された複数個（ＸＧＡの場合、横１０２４画素×縦７６８画素)の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）（登録商標）プロジェクタが適用可能である。
【００２４】
記憶部４３は、ＨＤＤや不揮発性の半導体メモリ等により構成されており、プログラム記憶部４３１、データ記憶部４３２、再生リスト記憶部４３３、コンテンツ制御テーブルＴ等が設けられている。
例えば、プログラム記憶部４３１には、制御部４１で実行されるシステムプログラムや各種処理プログラム、これらのプログラムの実行に必要なデータ等が記憶されている。
また、データ記憶部４３２には、コンテンツ再生時において表示対象となる動画像データ、静止画像データ、コンテンツの音声出力用の音声データなどが記憶されている。
また、再生リスト記憶部４３３には、再生するコンテンツのコンテンツ名が再生順序とともに記憶されている。
また、コンテンツ制御テーブルＴには、再生するコンテンツを決定するための情報が記憶されている。
【００２５】
図４は、コンテンツ制御テーブルＴの構成の一例を示す図である。
図４に示すように、例えば、コンテンツ制御テーブルＴは、キーワード、コンテンツ名、代替コンテンツ名、及びサブキーワードの項目を有する。
キーワードは、「夏のフェア」「Ａ商品」「Ｂ商品」等の、予め記憶された文字列（文字情報）である。
コンテンツ名は、再生対象となる各コンテンツの名称である。
代替コンテンツ名も、再生対象となる各コンテンツの名称である。
サブキーワードは、「終了」「品切れ」「好評」等の、予め記憶された文字列（文字情報）である。
【００２６】
通信部４４は、例えば、撮影装置５０などの外部の情報端末との通信を可能とし、データ送受信などを行う。
具体的な通信方式は、特に限定されるものではなく、例えば、無線ＬＡＮ、Bluetooth（登録商標）、ＮＦＣ等による無線通信であってもよいし、例えば、ＵＳＢケーブル等を用いた有線通信であってもよい。
また、通信部４４は、例えば、スクリーン部３１に映し出す新しいコンテンツなどのデータをデータ記憶部４３２に取り込む際にも利用される。
【００２７】
［撮影装置］
次に、撮影装置５０の構成について詳細に説明する。
撮影装置５０は、予め決められた任意の撮影対象を撮影すべく、その撮影対象に向かって固定設置される。
撮影装置５０は、制御部５１と、撮影部５２と、記憶部５３と、通信部５４と、操作部５５と、を主に備えており、撮影部５２と、記憶部５３と、通信部５４は、各々制御部５１に接続されている。
【００２８】
制御部５１は、記憶部５３に記億されている各種のプログラムを実行して所定の演算や各部の制御を行うＣＰＵとプログラム実行時の作業領域となるメモリとを備えている（いずれも図示略）。
そして、制御部５１は、記憶部５３のプログラム記憶部５３１に記憶されているプログラムとの協働により、各部を制御する。
具体的に、例えば、制御部５１は、撮影部５２を制御して常時又は定期的に撮影対象を撮影して文字情報を取得し、撮影対象に変化があった場合に表示装置１０に対して文字情報を送信する後述する状況変化認識処理を実行する。
【００２９】
撮影部５２は、例えば、公知のカメラ等であって、予め決められた任意の撮影対象を撮影する。
【００３０】
記憶部５３は、ＨＤＤや不揮発性の半導体メモリ等により構成されており、プログラム記憶部５３１、文字情報記憶部５３２等が設けられている。
例えば、プログラム記憶部５３１には、制御部５１で実行されるシステムプログラムや各種処理プログラム、これらのプログラムの実行に必要なデータ等が記憶されている。
また、文字情報記憶部５３２には、撮影部５２により撮影された撮影対象から取得された文字情報が記憶されている。
【００３１】
通信部５４は、例えば、表示装置１０などの外部の情報端末との通信を可能とし、データ送受信などを行う。
具体的な通信方式は、特に限定されるものではなく、例えば、無線ＬＡＮ、Bluetooth（登録商標）、ＮＦＣ等による無線接続であってもよいし、例えば、ＵＳＢケーブル等を用いた有線接続であってもよい。
【００３２】
なお、撮影装置５０は、設置された当初、所定の撮影対象を撮影し、そこから得られた文字情報を文字情報記憶部５３２に記憶する。その後、撮影装置５０は、常時又は定期的に撮影対象を撮影して文字情報を取得し、前回の文字情報から変化があった場合には、表示装置１０に対して取得した文字情報を送信する。
【００３３】
ここで、図５は、撮影装置５０の撮影対象の一例を示すポスター６０である。
かかるポスターは、店舗や展示会場の壁等に貼られる、商品やイベント等の宣伝用のポスターである。
図５の例では、ポスター６０は、「夏のフェア開催中」「お買い上げ金額１０００円につき、１回の抽選ができます。」「ただし景品がなくなり次第、終了します。」の文字情報を有する。以下、上記３つの各文字情報を、それぞれ文字情報Ｐ１〜文字情報Ｐ３とする。
撮影装置５０がポスター６０を撮影した場合には、文字情報Ｐ１〜文字情報Ｐ３が取得され、文字情報記憶部５３２に記憶される。
【００３４】
また、図６に、図５に示したポスター６０に変更が加わった場合の一例を示すポスター７０を示す。
図６の例では、ポスター７０は、文字情報Ｐ１〜文字情報Ｐ３の他、「終了しました」との新たな文字情報を有する。この新たな文字情報は、例えば、ポスター６０を掲示した作業者等により加えられるものである。この新たな文字情報を、文字情報Ｐ４とする。
撮影装置５０がポスター７０を撮影した場合には、文字情報Ｐ１〜文字情報Ｐ４が取得され、文字情報記憶部５３２に記憶される。
【００３５】
次に、本実施形態の再生システム１００の動作について説明する。
【００３６】
［状況変化認識処理］
図７は、撮影装置５０による状況変化認識処理を示すフローチャートである。
ここでは、撮影装置５０の制御部５１は、予め設定された周期（例えば、１分間に１回）毎に、かかる状況変化認識処理を実行することとする。
【００３７】
また、本処理の前提として、撮影装置５０の文字情報記憶部５３２には、文字情報Ｐ１〜文字情報Ｐ３が記憶されていることとする。
【００３８】
先ず、予め設定された周期に達すると（ステップＳ１１：ＹＥＳ）、制御部５１は、撮影部５２により、撮影対象の画像を撮影し（ステップＳ１２）、撮影した画像における文字情報の取得を行う（ステップＳ１３）。
例えば、ここで図５のポスター６０を撮影した場合には、制御部５１は、ポスター６０から文字情報Ｐ１〜文字情報Ｐ３を取得する。また、ここで図６のポスター７０を撮影した場合には、制御部５１は、ポスター７０から文字情報Ｐ１〜文字情報Ｐ４を取得する。
【００３９】
次いで、制御部５１は、取得した文字情報と、文字情報記憶部５３２に記憶されている文字情報とを比較して変化があるか否かを判断する（ステップＳ１４）。
例えば、図５のポスター６０を撮影した場合には、文字情報記憶部５３２には文字情報Ｐ１〜文字情報Ｐ３が既に記憶されているので、制御部５１は、変化なしと判断する。
また、図６のポスター７０を撮影した場合には、文字情報記憶部５３２には文字情報Ｐ４が記憶されていないため、制御部５１は、変化ありと判断する。
なお、変化ありと判断した場合、制御部５１は、取得した文字情報を文字情報記憶部５３２に記憶する。
【００４０】
そして、変化なしと判断した場合（ステップＳ１４：ＮＯ）、制御部５１は、本処理を終了する。
一方、変化ありと判断した場合（ステップＳ１４：ＹＥＳ）、制御部５１は、上記ステップＳ１２にて取得した文字情報を表示装置１０に送信し（ステップＳ１５）、本処理を終了する。
例えば、ステップＳ１２において変化ありと判断された際に比較されていた、文字情報Ｐ１〜文字情報Ｐ４が表示装置１０に送信される。
【００４１】
［表示内容変更処理］
図８は、表示装置１０による表示内容変更処理を示すフローチャートである。
表示装置１０の制御部４１は、撮影装置５０から文字情報が送信されてくるのを待機する状態となっており、撮影装置５０から送信された文字情報を受信すると、表示内容変更処理を実行する。
【００４２】
先ず、制御部４１は、撮影装置５０から送信されてきた文字情報を受信する（ステップＳ２１）。
ここでは、撮影装置５０から文字情報Ｐ１〜文字情報Ｐ４を受信したこととする。
【００４３】
次いで、制御部４１は、コンテンツ制御テーブルＴの「キーワード」の項目を参照し、受信した文字情報と、「キーワード」の項目に記憶された文字列とを比較し、一致するものがあるか否かを判断する（ステップＳ２２）。
ここでは、文字情報Ｐ１（夏のフェア開催中）の中の「夏のフェア」が、「キーワード」の項目に記憶されているため、一致するものがあると判断される。
【００４４】
そして、一致するものがない場合（ステップＳ２２：ＮＯ）、制御部４１は、本処理を終了する。
一方、一致するものがある場合（ステップＳ２２：ＹＥＳ）、制御部４１は、コンテンツ制御テーブルＴの「コンテンツ名」の項目を参照し、上記ステップＳ２２にて一致したキーワードに対応するコンテンツ名を、再生リスト記憶部４３３に記憶された再生リストに追加する（ステップＳ２３）。
ここでは、「夏のフェア」に対応した「フェア開催中」が、再生リストに追加される。
【００４５】
次いで、制御部４１は、コンテンツ制御テーブルＴの「サブキーワード」の項目を参照し、受信した文字情報と、「サブキーワード」の項目に記憶された文字列とを比較し、一致するものがあるか否かを判断する（ステップＳ２４）。
ここでは、文字情報Ｐ４（終了しました）の中の「終了」が、「サブキーワード」の項目に記憶されているため、一致するものがあると判断される。
【００４６】
そして、一致するものがない場合（ステップＳ２４：ＮＯ）、制御部４１は、本処理を終了する。
一方、一致するものがある場合（ステップＳ２４：ＹＥＳ）、制御部４１は、コンテンツ制御テーブルＴの「コンテンツ名」の項目を参照し、上記ステップＳ２４にて一致したサブキーワードに対応するコンテンツ名を、再生リスト記憶部４３３に記憶された再生リストから削除する（ステップＳ２５）。
ここでは、「終了」に対応した「フェア開催中」が、再生リストから削除される。
【００４７】
次いで、制御部４１は、コンテンツ制御テーブルＴの「代替コンテンツ名」の項目を参照し、上記ステップＳ２４にて一致したサブキーワードに対応する代替コンテンツ名を、再生リスト記憶部４３３に記憶された再生リストに追加し（ステップＳ２６）、本処理を終了する。
ここでは、「終了」に対応した「フェア終了」が、再生リストに追加される。
【００４８】
このような処理により、撮影装置５０が撮影する撮影対象に変化があった場合、その変化の内容に応じて、表示装置１０にて再生されるコンテンツが変更されることとなる。
つまり、図９に示すように、撮影装置５０がポスター６０を撮影したときに表示装置１０にて再生されるコンテンツと、撮影装置５０がポスター７０を撮影したときに表示装置１０にて再生されるコンテンツは、異なるものとなる。
「フェア開催中」のコンテンツ再生時には、例えば、抽選の等級と景品が表示されると共に、「フェア開催中です。お買い上げ金額千円につき1回抽選ができます。」の音声出力がなされる。また、「フェア終了」のコンテンツ再生時には、例えば、「ご好評につきフェア終了しました。」の文字が表示されると共に、音声出力がなされる。
なお、図９はあくまで一例であって、再生されるコンテンツの一部のみが変更される構成であっても良い。
【００４９】
以上のように、本実施形態の再生システム１００によれば、コンテンツを再生するスクリーン部３１及び音声出力部４６と、撮影された画像から所定情報を取得する制御部５１と、取得された所定情報に変化があった場合、変化した差分に基づいて、スクリーン部３１及び音声出力部４６で再生されるコンテンツの少なくとも一部を変更する制御部４１と、を含む。
このため、撮影対象の画像（ポスター）に変化があった場合、これが自動で認識され再生されるコンテンツが変更されることとなる。即ち、状況の変化に応じて、再生するコンテンツを適したものに切り替えることができる。
よって、状況と再生されるコンテンツが一致しないという不具合を防ぐことができる。  また、コンテンツの管理者にとっては、手動でコンテンツを変更する必要がないため、作業量が増えることもなく、利便性が高い。
【００５０】
また、本実施形態の再生システム１００によれば、制御部５１は、所定情報として、撮影された画像における文字情報を取得する。
このため、管理者等により撮影対象の画像（ポスター）に文字が書き加えられた場合、これに伴って再生するコンテンツを切り替えることができる。
【００５１】
また、本実施形態の再生システム１００によれば、文字情報と、コンテンツとを対応づけて記憶するコンテンツ制御テーブルＴを備え、制御部４１は、スクリーン部３１及び音声出力部４６で再生されるコンテンツを、差分となる文字情報に対応するコンテンツに変更する。
このため、管理者等により撮影対象の画像（ポスター）に文字が書き加えられた場合、再生するコンテンツを、その書き加えられた文字の内容に応じた、適したものに切り替えることができる。
【００５２】
また、本実施形態の再生システム１００によれば、所定の撮影対象の画像を撮影する撮影部５２を備え、制御部５１は、撮影部５２により撮影された画像から文字情報を取得する。
このため、所定の撮影対象の画像から、状況の変化を認識することができる。
【００５３】
なお、本発明は上記実施形態に限らず適宜変更可能である。
例えば、図１０に示すように、コンテンツ制御テーブルＴ（第２記憶部）において、サブキーワードと、当該サブキーワードの優先順位とを対応づけて記憶し、制御部４１は、差分となる文字情報の優先順位に応じて、差分となる文字情報に対応するコンテンツが再生される順番を決定することとしても良い。
図１０の例では、再生される優先順位は高いものから、「好評」「終了」「品切れ」の順に、「１」「２」「３」の番号が付された例である。
このようにすることで、切り替えられたコンテンツを、適した順番で再生することができる。
【００５４】
また、上記実施形態では、ポスターを撮影対象として、文字情報を所定情報として取得する構成を例示して説明したが、撮影対象及び取得する所定情報はこれに限定されない。
例えば、撮影対象をある販売中の物品として、所定情報として、撮影された画像における物品の形状情報を取得する構成であっても良い。
具体的には、ある商品が積み上げられた陳列ブース等を撮影し、その商品の山の形状変化を認識し、差分として高さが閾値（例えば、半分）以下となったら、変化があったとする等の制御を行うことができる。即ち、制御部５１は、撮影された画像における物品の形状変化（増減）を取得する構成とすることができる。
【００５５】
また、上記実施形態では、表示装置１０と撮影装置５０が別体の構成を例示して説明したが、表示装置１０と撮影装置５０が一体でも良い。即ち、表示装置１０が撮影部を備え、撮影部により撮影された画像をもとに、制御部４１が状況変化認識処理及び表示内容変更処理を実行する構成であっても良い。この場合、ステップＳ１５とステップＳ２１は省略される。
【００５６】
また、上記実施形態では、撮影装置５０において状況変化認識処理を実行しているが、撮影装置５０で撮影した画像を表示装置１０にそのまま送信し、表示装置１０にて状況変化認識処理を実行しても良い。
【００５７】
また、上記実施形態では、再生するコンテンツは、画像データ及び音声データからなるものを例示して説明しているが、画像データのみ或いは音声データのみからなるものでも良い。また、画像データは、動画像データでも良いし、静止画像データでも良い。
【００５８】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５９】
〔付記〕
＜請求項１＞
コンテンツを再生する再生部と、
撮影された画像から所定情報を取得する取得部と、
前記取得部で取得された前記所定情報に変化があった場合、変化した差分に基づいて、前記再生部で再生されるコンテンツの少なくとも一部を変更するコンテンツ変更部と、
を含むことを特徴とする再生システム。
＜請求項２＞
前記取得部は、前記所定情報として、撮影された画像における文字情報を取得することを特徴とする請求項１に記載の再生システム。
＜請求項３＞
文字情報と、コンテンツとを対応づけて記憶する記憶部を備え、
前記コンテンツ変更部は、前記再生部で再生されるコンテンツを、前記差分となる文字情報に対応するコンテンツに変更することを特徴とする請求項２に記載の再生システム。
＜請求項４＞
文字情報と、当該文字情報の優先順位とを対応づけて記憶する第２記憶部を備え、
前記再生部は、複数のコンテンツを順番に再生し、
前記コンテンツ変更部は、前記差分となる文字情報の優先順位に応じて、前記差分となる文字情報に対応するコンテンツが再生される順番を決定することを特徴とする請求項３に記載の再生システム。
＜請求項５＞
前記取得部は、前記所定情報として、撮影された画像における所定領域の形状情報を取得することを特徴とする請求項１に記載の再生システム。
＜請求項６＞
所定の撮影対象の画像を撮影する撮影部を備え、
前記取得部は、前記撮影部により撮影された画像から前記所定情報を取得することを特徴とする請求項１〜５の何れか一項に記載の再生システム。
＜請求項７＞
コンピュータを、
コンテンツを再生する再生部、
撮影された画像から所定情報を取得する取得部、
前記取得部で取得された前記所定情報に変化があった場合、変化した差分に基づいて、前記再生部で再生されるコンテンツの少なくとも一部を変更するコンテンツ変更部、
として機能させるためのプログラム。
＜請求項８＞
コンテンツを再生する再生部と、
撮影された画像から所定情報を取得する取得部と、
前記取得部で取得された前記所定情報に変化があった場合、変化した差分に基づいて、前記再生部で再生されるコンテンツの少なくとも一部を変更するコンテンツ変更部と、
を含むことを特徴とする再生装置。
【符号の説明】
【００６０】
１００  再生システム
１０  表示装置
３１  スクリーン部（再生部）
４１  制御部（コンテンツ変更部）
４３  記憶部
Ｔ  コンテンツ制御テーブル（記憶部、第２記憶部）
４６  音声出力部（再生部）
５０  撮影装置
５１  制御部（取得部）
５２  撮影部
５３  記憶部
５３２  文字情報記憶部
６０、７０  ポスター
Ｐ１−Ｐ４  文字情報
【図１】
2016177852.tif 000003
【図２】
2016177852.tif 000004
【図３】
2016177852.tif 000005
【図４】
2016177852.tif 000006
【図５】
2016177852.tif 000007
【図６】
2016177852.tif 000008
【図７】
2016177852.tif 000009
【図８】
2016177852.tif 000010
【図９】
2016177852.tif 000011
【図１０】
2016177852.tif 000012